(57)【要約】      （修正有） 【課題】情報取扱システムプロジェクタ冷却ファンが、余分な冷却期間に対して冷却ファンを運転させることなく、プロジェクタを適切に冷却するために、そのランプがターンオフされた後に、可変的に規定された時間の間、運転される。【解決手段】１つの実施形態では、冷却ファンは、ランプがシャットダウンされた後、プロジェクタに関係する予め定められた温度を１以上の熱電対が検出するまで運転される。代わりの実施形態では、ファン冷却時間はシャットダウン前にランプがオンであった時間の長さに基づいて変化する。冷却熱勾配は、増加された冷却勾配が冷却ファンのより早いシャットダウンを可能にするコンビニエンスモードと、減少された冷却勾配がランプ寿命を保つロングライフモードとの中から選択可能である。【選択図】図１
2006209134.tif 000002
【特許請求の範囲】
【請求項１】
筐体と、
筐体内に配置され、情報取扱システムから情報を受け入れて、情報に関係するイメージの表示を発生させるように動作可能なイメージ処理構成部品と、
筐体内に配置され、イメージの表示を照光するように動作可能なオン状態と、オフ状態とを持つランプと、
イメージ処理構成部品およびランプと一列に並べられ、遠位点にイメージの表示を示すレンズと、
筐体内に配置され、筐体から熱を除去する冷却空気流を提供するように動作可能な冷却ファンと、
ランプおよびファンとインターフェイスされ、ランプがオン状態からオフ状態に変わった後、可変的に規定された期間の間、冷却ファンを運転させるように動作可能な冷却マネージャーとを具備する情報取扱システムプロジェクタ。
【請求項２】
冷却マネージャーは、筐体内に配置され、筐体内の温度を測定するように動作可能な１以上の熱電対を備え、可変的に規定された期間は、熱電対により測定された温度が予め定められた温度になるまでの期間を含む請求項１記載の情報取扱システムプロジェクタ。
【請求項３】
冷却マネージャーは、熱電対により測定される予め定められた温度まで最大の冷却勾配で冷却ファンを運転させることによる、最短の可変的に規定された時間を有するコンビニエンス冷却モードを選択するようにさらに動作可能である請求項２記載の情報取扱システムプロジェクタ。
【請求項４】
冷却マネージャーは、減少された冷却勾配で冷却ファンを運転させることによる、ロングライフ冷却モードを選択するようにさらに動作可能である請求項２記載の情報取扱システムプロジェクタ。
【請求項５】
冷却マネージャーは、プロジェクタへの電力の適用において熱電対により測定された温度を検出し、温度を測定し、温度が予め定められた温度を超えた場合、可変的に規定された時間の間、冷却ファンを運転するようにさらに動作可能である請求項２記載の情報取扱システムプロジェクタ。
【請求項６】
冷却マネージャーは、
ランプがオン状態で動作している時間と、冷却ファンが運転されている時間とを追跡するように動作可能なタイマーと、
各ランプの動作時間はランプがオン状態である時間を表す、複数のランプ動作時間を有し、各ランプ動作時間が可変的に規定された時間に関係する、複数の可変的に規定された時間を有する冷却テーブルとをさらに備え、
冷却マネージャーは、ランプがオン状態で動作していた時間を決定するためにタイマーを参照し、タイマーによって決定されたランプ動作時間に関係する可変的に規定された時間に対する冷却テーブルを参照することにより、ランプがオフ状態に変化した後に冷却ファンを運転する可変的に規定された時間を決定する請求項１記載の情報取扱システムプロジェクタ。
【請求項７】
冷却テーブルが第１と第２の組の可変的に規定された時間をさらに含み、第１の組は、最大冷却勾配に関係する、最短の可変的に規定された時間を有するコンビニエンス冷却モードに関係し、第２の組は、減少された冷却勾配に関係する、より長い可変的に規定された時間を有するロングライフ冷却モードに関係する請求項６記載の情報取扱システムプロジェクタ。
【請求項８】
タイマーは、定期的にリフレッシュして、電力故障が発生した場合にランプとファンの動作時間を追跡するようにさらに動作可能である請求項６記載の情報取扱システムプロジェクタ。
【請求項９】
情報取扱システムプロジェクタの冷却方法において、
オン状態からオフ状態へのプロジェクタのランプの状態変化を検出することと、
ランプオフ状態の検出後、可変的に規定された時間の間、プロジェクタの冷却ファンを運転することと、
可変的に規定された時間の満了時に、冷却ファンをシャットダウンさせることとを含む方法。
【請求項１０】
プロジェクタに関係する温度を検出することと、
ランプオフ状態の検出後、検出された温度が予め定められた温度を下回ることを決定することによって、可変的に規定された時間を決定することとをさらに含む請求項９記載の方法。
【請求項１１】
冷却ファンを運転することは、
コンビニエンス冷却モードを選択することと、
最短の可変的に規定された時間の間に最大冷却勾配を有するように冷却ファンを運転することとをさらに含む請求項１０記載の方法。
【請求項１２】
冷却ファンを運転することは、
ロングライフ冷却モードを選択することと、
最長の可変的に規定された時間の間に減少された冷却勾配を有するように冷却ファンを運転することとをさらに含む請求項１１記載の方法。
【請求項１３】
ランプオフ状態の検出時にランプ動作時間を決定することと、
複数のランプ動作時間のそれぞれが関係する可変的に規定された時間を有する、複数のランプ動作時間のテーブルから、ランプ動作時間を検索し、決定されたランプ動作時間に関係する可変的に規定された時間を選択することにより、可変的に規定された時間を決定することとをさらに含む請求項９記載の方法。
【請求項１４】
コンビニエンス冷却モードを選択することと、
コンビニエンス冷却モードテーブルから、可変的に規定された時間を決定することと、
可変的に規定された時間の間に最大冷却勾配を有するように冷却ファンを運転することとをさらに含む請求項１３記載の方法。
【請求項１５】
ロングライフ冷却モードを選択することと、
ロングライフ冷却モードテーブルから、可変的に規定された時間を決定することと、
可変的に規定された時間の間に減少された冷却勾配を有するように冷却ファンを運転することとをさらに含む請求項１３記載の方法。
【請求項１６】
プロジェクタが、ターンオンしてイメージを照光するランプと冷却ファンとを備えた、プロジェクタの冷却を管理するシステムにおいて、
ランプがオンであるか検出するように動作可能である冷却マネージャーと、
冷却マネージャーに関係し、またランプがオンである期間のランプ動作時間を決定するように動作可能であるタイマーと、
冷却マネージャーに関係し、複数のランプ動作時間を有し、各ランプ動作時間が冷却時間に関係する冷却テーブルとを具備し、
冷却マネージャーはオンからオフへのランプの遷移を検出し、タイマーからランプ動作時間を取得し、冷却テーブルからランプ動作時間に関係する冷却時間を検索し、冷却時間の間、冷却ファンを運転するようにさらに動作可能であるシステム。
【請求項１７】
冷却テーブルが、各ランプ動作時間と関係した、コンビニエンスモード冷却時間およびロングライフ冷却時間をさらに備え、冷却マネージャーは、コンビニエンスモード冷却時間またはロングライフ冷却時間の内の選択されたものの間、冷却ファンを運転するようにさらに動作可能である請求項１６記載のシステム。
【請求項１８】
コンビニエンスモード冷却時間は、増加された冷却勾配でファンを運転することに関係し、ロングライフ冷却時間は、減少された冷却勾配でファンを運転することに関係する請求項１７記載のシステム。
【請求項１９】
プロジェクタが、ターンオンしてイメージを照光するランプと冷却ファンとを備えた、プロジェクタの冷却を管理するシステムにおいて、
ランプに近接して配置され、プロジェクタに関係する温度を測定するように動作可能な１以上の熱電対と、
ランプ、ファン、および熱電対とインターフェイスされ、オンからオフへのランプの変化を検出し、ランプがオフされた後、熱電対が予め定められた温度を検出するまで、冷却ファンを運転させるよう動作可能な冷却マネージャーとを具備するシステム。
【請求項２０】
コンビニエンスモードが選択された場合は、増加された冷却勾配で冷却ファンを運転し、ロングライフモードが選択された場合は、減少された冷却勾配で冷却ファンを運転するように、冷却マネージャーがさらに動作可能である請求項１９記載のシステム。
【発明の詳細な説明】
【発明の分野】
【０００１】
本発明は、一般的に情報取扱システムプロジェクタの分野に関連し、さらに詳細にはインテリジェント情報取扱システムプロジェクタの冷却に関する方法とシステムに関連する。
【発明の背景】
【０００２】
情報の価値と使用とが増大を続ける中、個人および企業は情報を処理し記憶するための付加的な方法を求めている。ユーザにとって利用可能な１つのオプションは情報取扱システムである。情報取扱システムは一般的に、企業、個人または他の目的のための情報またはデータを処理し、編集し、記憶し、および／または通信し、それによってユーザが情報の価値を利用可能になる。技術と情報取扱のニーズと要求は異なるユーザまたは適用ごとに変わるので、何の情報が取扱われるか、どのように情報が取扱われるか、どれほどの量の情報が処理され、記憶され、通信されるか、どれほど素早く効果的に情報が処理され、記憶され、通信されるかによって、情報取扱システムも変化する。情報取扱システムの変形により、情報取扱システムは一般的になり、または金融取引処理、航空便予約、企業データ記憶、グローバル通信のような特定のユーザまたは特定の用途のために構成することが可能になる。加えて、情報取扱システムはさまざまなハードウェアおよびソフトウェア構成部品を含んでいてもよく、それらの構成部品は情報を処理し、記憶し、通信するよう構成され、情報取扱システムは１以上のコンピュータシステム、データ記憶システム、ネットワーキングシステムを含んでいてもよい。
【０００３】
情報取扱システムは多数の周辺装置と対話して、情報を通信し、印刷し、表示し、または処理することが多い。例えば、情報取扱システムはプロジェクタを使用して情報を表示することが多い。プロジェクタはＬＣＤパネルでイメージを発生させ、イメージを明るいランプで照光し、遠位スクリーンに対してフォーカスされたレンズを通してイメージを提示する。プロジェクタは、情報取扱システムから個人のグループへの情報のプレゼンテーションを支援し、したがって、ビジネス会議において情報を提示する人気のある方法となった。一般的には、プレゼンターはポータブル情報取扱システム上にマイクロソフト社によるパワーポイント（登録商標）のようなアプリケーションを用いて情報を準備し、情報取扱システムとプロジェクタを会議に持ち込む。会議では、プレゼンターは情報取扱システムをプロジェクタに接続し、情報取扱システムから提供されるイメージをプロジェクタで照光して、会議の他の出席者により見ることができるようにする。プレゼンテーションの後、プロジェクタと情報取扱システムは一般的に電源を切られ、それから会議が完了したとき、プレゼンターにより持ち運ばれる。今日の早いペースのビジネス環境では、プレゼンターは一日の内にさまざまな場所で繰り返しプレゼンテーションを行うことが多いため、一般的なプロジェクタは一日の内に繰り返し電源投入およびシャットダウンされるかもしれない。
【０００４】
情報を表示するためのプロジェクタの使用に関係する１つの問題は、情報を照光するために使用されるランプが、照光の間、かなりの量の熱を発生させるということである。プロジェクタ内の電子構成部品やランプの適切な動作を確実に行うために、プロジェクタは、一般的に、動作中にプロジェクタから熱を移動させる冷却ファンを装備している。しかしながら、ランプが照光されていないとき、冷却ファンは、冷却ファンの動作に付随して生成されるノイズを減少させるために、一般的に、規定された期間の後にターンオフされる。一般的に、ランプからの照光が終了した後の規定された期間の間、ランプとプロジェクタ構成部品がそれらの温度を低下させる冷却空気流を受けるように、プロジェクタ冷却ファンがオンに維持されるように設計されている。しかしながら、ユーザは時として、規定された期間が終了する前にプロジェクタのプラグを抜くことで、動作後の冷却を中断させる。例えば、ユーザはプレゼンテーションが終了した後に急いでいることが多く、規定された期間が終了するまで待つことを望まない。また、プレゼンテーションが終了した後に冷却ファンを運転させると、プレゼンテーション後の議論を背後の冷却ファンノイズなしで静かに行うことを好むユーザを不愉快にさせる。ランプとプロジェクタ構成部品が冷却される前に、プロジェクタのプラグを抜くことで冷却ファン動作をシャットダウンさせることは、一般的にランプと構成部品の寿命を減少させ、早期故障を招くことが多い。
【発明の開示】
【発明の概要】
【０００５】
したがって、ランプがシャットダウンされた後のプロジェクタ冷却時間を減少させるシステムおよび方法への要求が生じている。
【０００６】
本発明にしたがったシステムと方法が提供され、このシステムと方法は、ランプがシャットダウンされた後にプロジェクタを冷却する従前の方法とシステムに関係する欠点および問題を十分に減少させる。プロジェクタ冷却ファンは、プロジェクタランプがシャットダウンされた後、可変的に規定された冷却期間の間運転され、可変的に規定された冷却期間は、余分に冷却ファンを動作させることなく、望ましいプロジェクタ冷却を達成する。
【０００７】
さらに詳細には、プロジェクタ冷却マネージャーがプロジェクタランプおよびプロジェクタ冷却ファンとインターフェイスし、ランプがオンまたはオフ状態であるかを検出する。ランプがオンからオフ状態に遷移するとき、冷却マネージャーは可変的に規定された冷却時間を決定し、可変的に規定された冷却時間が満了するまで、冷却ファンを運転させる。可変的に規定された冷却時間は、適切な冷却が完了した後、あるとしても短時間のみ冷却ファンを運転させる一方で、ランプとプロジェクタイメージ処理構成部品の適切な冷却を確実に行う。１つの実施形態では、可変的に規定された冷却時間はランプがオン状態にあった時間の長さに基づいて決定され、より長いランプ動作時間は、より長い冷却時間を有する。他の実施形態では、熱電対がプロジェクタ温度を測定し、測定された温度を冷却マネージャーに提供する。冷却マネージャーは、測定された温度が予め定められた温度になるまで冷却ファンを運転させる。冷却マネージャーは、最大の冷却勾配のコンビニエンスモードでファンを運転させることによりプロジェクタを冷却する。最大の冷却勾配は、プロジェクタを最短時間で冷却し、より早い冷却ファンシャットダウンを達成する。代わりに、冷却マネージャーは、減少された冷却勾配のロングライフモードでファンを運転させることによりプロジェクタを冷却する。減少された冷却勾配は、プロジェクタをさらに段階的に冷却して、より長いランプ寿命を保つことを助ける。
【０００８】
本発明は多数の重要な技術的利点を提供する。重要な技術的利点の一例は、ランプがシャットダウンされた後のプロジェクタ冷却時間が、プロジェクタ内で生じた熱に対して適切な期間に減少されることである。より少ない熱しか生じさせない、より短いプロジェクタ運転時間では、冷却時間がより短くなる。したがって、ランプがシャットダウンされた後に冷却ファンを停止させるために、より長い期間待たなければならないユーザの不便を減少させる。ランプがシャットダウンされた後にファンが動作される時間はプロジェクタ内で測定された温度により、またはプロジェクタの運転時間に基づいて予想された予測温度により可変的に規定されるので、ランプシャットダウン後の適切な冷却が確実になり、ランプとプロジェクタ構成部品の有効な寿命が保たれる。コンビニエンス冷却モードは、素早いプロジェクタシャットダウンのために、最短時間での適切な冷却を確実に行う。代わりに、ロングライフ冷却モードは急速な熱勾配によりランプにかかるストレスを減少させ、高価なプロジェクタ電球の頻繁な交換を少なくすることで、プロジェクタ動作コストを減少させる。
【発明の詳細な説明】
【０００９】
情報取扱システムプロジェクタのための可変的に規定された冷却期間は、選択された冷却モードに対して、ランプがシャットダウンされた後に冷却ファンが運転される時間を減少させる。この開示の目的のために、情報取扱システムは、ビジネス、科学、制御、または他の目的のために、何らかの形態の情報、知識、またはデータを計算し、分類し、処理し、送信し、受信し、検索し、発生させ、スイッチし、記憶し、表示し、明示し、検出し、記録し、再生し、取り扱い、または利用するように動作可能な何らかの手段あるいは手段の集合体を含んでいてもよい。例えば、情報取扱システムは、パーソナルコンピュータ、ネットワーク記憶デバイス、または他の何らかの適切なデバイスであってもよく、サイズ、形状、性能、機能性および価格が変化してもよい。情報取扱システムは、ランダムアクセスメモリ（ＲＡＭ）、中央処理ユニット（ＣＰＵ）またはハードウェアもしくはソフトウェア制御ロジックのような１以上の処理リソース、ＲＯＭ、および／または他のタイプの不揮発性メモリを含むことができる。情報取扱システムのさらなる構成部品は、１以上のディスクドライブ、外部デバイスと通信する１以上のネットワークポートとともに、キーボード、マウス、およびビデオディスプレイのようなさまざまな入出力（Ｉ／Ｏ）デバイスを含んでいてもよい。情報取扱システムはまた、さまざまなハードウェア構成部品間で通信を送信可能な１以上のバスを含んでいてもよい。
【００１０】
図１を参照すると、機能ブロック図は、ランプがシャットダウンされた後の可変的に規定された冷却期間を有する情報取扱システムプロジェクタを示す。情報取扱システム１０は、プロジェクタ１２によって表示するために、例えばグラフィカルイメージ１４のような情報を発生させる。イメージ処理構成部品１６は情報取扱システム１０からの情報を受け入れて、ＬＣＤ１８でイメージを表現する。ハロゲンライトのようなランプ２０は、レンズ２２と一列に並べられたＬＣＤ１８を照光して、イメージ１４をプロジェクタ１２から遠位に投影する。イメージ１４を発生させ、照光するための電力は、ＡＣソケットのような外部電源２６に接続された電源２４から来る。プロジェクタ１２の動作の間、冷却ファン２８が運転されて、プロジェクタ構成部品を含む筐体３０を通る冷却空気流が提供される。筐体３０内の主たる熱源はランプ２０である。
【００１１】
冷却マネージャー３２はランプ２０および冷却ファン２８とインターフェイスし、プロジェクタ１２が可変的に規定された期間の間、ファン２８からの冷却を受けるように、ランプ２０のシャットダウン後の冷却ファン２８の動作を管理する。１つの実施形態では、冷却マネージャー３２はプロジェクタ１２の温度を決定する１以上の熱電対３４とインターフェイスしている。冷却マネージャー３２がオン状態からオフ状態へのランプ２０の遷移を検出するとき、冷却マネージャー３２はプロジェクタ１２の温度を監視し、プロジェクタ１２の安全な梱包を可能にするレベルのような予め定められたレベルに温度が落ちるまで、冷却ファン２８を運転する。プロジェクタ１２の測定された温度を使用することにより、冷却マネージャー３２は、冷却ファン２８に不必要で余分な動作をさせることなく、冷却状態を達成するのに十分な長さで冷却ファン２８を確実に動作させる。代替実施形態では、冷却マネージャー３２はタイマー３６と冷却テーブル３８を有する。タイマー３６はランプ２０と冷却ファン２８の動作時間を追跡する。ランプ２０のオン状態からオフ状態への遷移において、冷却マネージャー３２はタイマー３６からランプ動作時間を決定し、冷却テーブル３８から冷却ファン２８を運転する冷却時間を検索する。冷却マネージャー３２は、検出されたランプ動作時間に関係する冷却時間の間、冷却ファン２８を運転し、それから冷却ファン２８をシャットダウンさせる。冷却マネージャー３２はプロジェクタ１２中のファームウェア上で実行され、外部電源２６からの切断のような、電力がなくなったときに使用するために、タイマー３６から周期的に読み出されて記憶される時間計測値を有する。
【００１２】
可変的に規定された時間は、プロジェクタ動作の目的を満たしながらプロジェクタ冷却ファン２８の冷却運転時間を最短化するように決定される。冷却時間の量はランプ動作時間が増加するのにしたがって増加し、動作時間に対する適切な冷却時間と比較される、プロジェクタ動作時間の実験によって決定される。典型的なプロジェクタは完全な動作中温度まで熱くなるために、５０分ほどの時間を要し、それ故、５０分より短いランプ動作時間は、一般的に、比例してより低い動作温度となり、したがって、比例してより短い冷却時間しか必要としない。しかしながら、ランプ寿命はランプを冷却するのに使用される冷却勾配、すなわち冷却レートにより影響を受ける。急速または高い冷却勾配は、内部金属部分が収縮するので、ランプ寿命を減少させる傾向がある。したがって、冷却マネージャー３２は、コンビニエンスまたはロングライフ冷却モードの選択を可能にしている。コンビニエンスモードは、最速の冷却時間と冷却ファンのさらに早いシャットダウンのために、冷却ファン２８が最大速度で動作するような、高い冷却勾配を提供する。ロングライフモードは、より長いランプ寿命のために減少された熱ストレスをランプ２０に与え、より長い冷却時間の間に冷却ファン２８が減少された速度で動作するような、減少された冷却勾配を提供する。ユーザの選択に基づいて、冷却マネージャー３２はコンビニエンスまたはロングライフ冷却時間を冷却テーブル３８から検索し、冷却テーブル３８により提供された時間の間、コンビニエンスモードまたはロングライフ速度の内の選択されたもので、冷却ファンを運転する。代わりに、冷却マネージャー３２は熱電対３４によって提供される温度を追跡し、測定された温度を使用して、冷却ファン２８の速度を変更して、望ましい冷却レートを達成する。
【００１３】
図２を参照すると、フロー図は、ランプ動作時間に基づいて可変的に規定された冷却期間に対するプロセスを示す。プロセスはプロジェクタがターンオンされるときステップ４０で開始されてステップ４２に続き、ステップ４４においてプロジェクタがターンオフされるまで、アップカウンタがプロジェクタ動作時間を計測する。ステップ４６において、カウンタ読みが、例えば１５分のような第１の期間よりも短いか、または等しいかの決定がなされ、ＹＥＳであれば、ステップ４８において、例えば３０秒のような第１の冷却期間の間、冷却ファンが運転される。ステップ４６における決定がＮＯであれば、プロセスはステップ５０に続き、カウンタ読みが、例えば３０分のような第２の期間よりも長いか、または等しいかの決定がなされる。ステップ５０における決定がＹＥＳであれば、プロセスはステップ５２に続き、例えば９０秒間のような第２の冷却期間の間、冷却ファンが運転される。ステップ５０における決定がＮＯであれば、プロセスはステップ５４に続き、例えば６０秒のような第３の冷却期間の間、冷却ファンが運転される。さまざまな実施形態において、プロジェクタ動作時間および関係するファン動作時間は、プロジェクタが熱くなり、冷たくなるレートに依拠して変化してもよい。
【００１４】
図３を参照すると、フロー図は、測定されたプロジェクタ温度に基づいて可変的に規定された冷却期間に対するプロセスを示す。プロセスはステップ５６において開始され、熱電対または熱電対のネットワークがプロジェクタ中の温度を測定する。ステップ５８において、プロジェクタが電源断され、ステップ６０において、熱電対測定された温度が予め定められた冷却温度よりも低いかどうかの決定がなされる。もしそうでなければ、プロセスはステップ６４に続き、冷却ファンを運転させ、周期的にステップ６０へと戻って、温度を再チェックする。一度、温度が予め定められた冷却温度よりも低くなると、プロセスはステップ６２に続き、そこで冷却ファンとプロジェクタがターンオフされる。
【００１５】
図４を参照すると、フロー図は、コンビニエンスまたはロングライフ冷却勾配を選択するプロセスを示す。ステップ６６においてコンビニエンスまたはロングライフ冷却モードの内のいずれが選択されたかの決定がされる。ロングライフ冷却モードが選択された場合、プロセスはステップ６８に続き、プロジェクタランプに減少された熱ストレスを与える冷却勾配に関係する、例えば予め定められた制限内の時間に対する温度変化に関係する減少速度で冷却ファンが運転される。減少された冷却速度とより遅い冷却レートにより、プロジェクタの冷却時間が増加し、ランプの耐用年数がより長くなる。ステップ６６でコンビニエンス冷却モードが選択された場合、プロセスはステップ７０に続き、より大きいユーザ利便性のために、冷却ファンが最大速度で運転され、急速なプロジェクタ冷却が達成される。最大速度はプロジェクタから急速な方法で熱を除去するための最大有効ファン速度であり、ファンの最大速度であっても、そうでなくてもよい。一度、冷却がステップ６８と７０の両方で完了すると、プロセスはステップ７２に続き、シャットダウン温度が検出され、ステップ７４に続き、冷却ファンをシャットダウンさせる。
【００１６】
本発明を詳細に説明したが、付属の特許請求の範囲により定義された本発明の精神と範囲を逸脱することなく、本発明に対して、さまざまな変更、置換、代替をなし得ることが理解されるべきである。
【図面の簡単な説明】
【００１７】
本発明は、添付している図面を参照することによって、さらによく理解され、またその数々の目的や特徴や利点は当業者に明らかになるだろう。いくつかの図を通しての同一参照番号の使用は、同じまたは類似の要素を示す。  
【図１】図１はランプがシャットダウンされた後の可変的に規定された冷却期間を有する、情報取扱システムプロジェクタを示す。
【図２】図２はランプ動作時間に基づいて可変的に規定された冷却期間に対するプロセスのフロー図を示す。
【図３】図３は測定されたプロジェクタ温度に基づいて可変的に規定された冷却期間に対するプロセスのフロー図を示す。
【図４】図４はコンビニエンスまたはロングライフ冷却勾配を選択するプロセスのフロー図を示す。
【図１】
2006209134.tif 000003
【図２】
2006209134.tif 000004
【図３】
2006209134.tif 000005
【図４】
2006209134.tif 000006
【外国語明細書】
2006209134000001.pdf